(57)【要約】【課題】ケースの着脱を容易にするとともに、両ケース間の隙間を無くす。【解決手段】後部ロアー側ブラケット２６は、第１の水平部２８とこの第１の水平部２８の先端側を直角に折曲形成した第１の鉛直部２９とによって構成されている。後部アッパー側ブラケット２７は、載置部３５と、折曲部３７と、載置部３５と反対方向に直角に折曲形成された係止部３８とによって構成されている。折曲部３７には、第１の鉛直部２９に係入されるスリット状に形成されたガイド孔３６が設けられている。載置部３５と係止部３８とのそれぞれを第１の水平部２８の表裏に対接させることにより、ロアーケース２の開口がアッパーケース３によって閉塞される。【選択図】        図６
2004303772.tif 000002
【特許請求の範囲】
【請求項１】
ロアーケースの開口を開閉するアッパーケースをロアーケースから着脱自在とした筺体の開閉構造において、
前記ロアーケースの一端側に設けられ第１の水平部とこの第１の水平部の先端側を直角に折曲形成した第１の鉛直部とによって構成したロアー側ブラケットと、
前記アッパーケースの一端側に設けられたアッパー側ブラケットとを備え、
このアッパー側ブラケットを、前記ロアー側ブラケットの第１の水平部に載置される載置部と、この載置部の一端に直角に折曲形成され前記ロアー側ブラケットの第１の鉛直部に係入されるスリット状に形成されたガイド孔が設けられた折曲部と、この折曲部の他端に前記載置部と反対方向に直角に折曲形成された係止部とによって構成し、
前記アッパー側ブラケットの載置部と係止部とのそれぞれを前記ロアー側ブラケットの第１の水平部の表裏に対接させることにより、前記ロアーケースの開口がアッパーケースによって閉じられることを特徴とする筺体の開閉構造。
【請求項２】
請求項１記載の筺体の開閉構造において、
前記アッパー側ブラケットの載置部と係止部とのそれぞれを前記ロアー側ブラケットの第１の鉛直部の表裏に対接させることにより、前記ロアーケースの開口が開放されることを特徴とする筺体の開閉構造。
【請求項３】
請求項１または２記載の筺体の開閉構造において、
前記ロアー側ブラケットの第１の水平部と第１の鉛直部との間に傾斜部を設けたことを特徴とする筺体の開閉構造。
【請求項４】
請求項１ないし３記載の筺体の開閉構造において、
前記ロアー側ブラケットの第１の鉛直部の上端に前記第１の水平部側に直角に折曲形成した第２の水平部を形成し、この第２の水平部の先端に上方に向かって直角に折曲形成した第２の鉛直部を設けたことを特徴とする筺体の開閉構造。
【請求項５】
請求項１ないし４記載の筺体の開閉構造において、
前記ロアーケースとアッパーケースとのそれぞれの他端側に、アッパーケースによってロアーケースの開口を閉塞することにより係合し、アッパーケースを水平方向に移動させることにより係合が解除する係合手段を設けたことを特徴とする筺体の開閉構造。
【発明の詳細な説明】
【０００１】
【発明の属する技術分野】
本発明は、保守点検や修理に適した電子機器等の筺体の開閉構造に関する。
【０００２】
【従来の技術】
従来の筺体の開閉構造は、一方の筺体に第１の支持軸と縮径部が形成された第２の支持軸を設け、他方の筺体に第１または第２の支持軸のそれぞれに嵌合する支持穴を有する第１または第２の支持片を設け、第２の支持片の支持穴に縮径部を通過できるスリットを設けたものがある（例えば、特許文献１参照）。なお、本出願人は、本明細書に記載した先行技術文献情報で特定される先行技術文献以外には、本発明に密接に関連する先行技術文献を出願時までに見付け出すことはできなかった。
【０００３】
【特許文献１】
特開平５−２８７３２号公報（段落「００１２」「００１３」、図１ないし図５）
【０００４】
【発明が解決しようとする課題】
上述した従来の筺体の開閉構造においては、第２の筺体を第１の筺体に取り付けるのに、第２の支持軸の縮径部にスリットを介して第２の支持片の支持穴を挿入した後に、第１の支持軸に第１の支持片の支持穴を位置合わせする必要がある。また、第１および第２の支持軸に第１および第２の支持片の支持穴を挿入した後に第２の筺体の開き量を規制する回動アームを取り付ける必要があるため、第２の筺体の着脱作業が煩雑であるという問題があった。また、支持軸を支持穴に嵌合させて回動自在とした構造であるため、支持軸と支持穴との間に隙間を設ける必要があり、第１の筺体と第２の筺体との間から塵埃が侵入しやすいという問題もあった。
【０００５】
本発明は上記した従来の問題に鑑みなされたものであり、第１の目的はケースの着脱を容易にすることにある。また、第２の目的は両ケース間の隙間を無くすことにある。
【０００６】
【課題を解決するための手段】
この目的を達成するために、請求項１に係る発明は、ロアーケースの開口を開閉するアッパーケースをロアーケースから着脱自在とした筺体の開閉構造において、前記ロアーケースの一端側に設けられ第１の水平部とこの第１の水平部の先端側を直角に折曲形成した第１の鉛直部とによって構成したロアー側ブラケットと、前記アッパーケースの一端側に設けられたアッパー側ブラケットとを備え、このアッパー側ブラケットを、前記ロアー側ブラケットの第１の水平部に載置される載置部と、この載置部の一端に直角に折曲形成され前記ロアー側ブラケットの第１の鉛直部に係入されるスリット状に形成されたガイド孔が設けられた折曲部と、この折曲部の他端に前記載置部と反対方向に直角に折曲形成された係止部とによって構成し、前記アッパー側ブラケットの載置部と係止部とのそれぞれを前記ロアー側ブラケットの第１の水平部の表裏に対接させることにより、前記ロアーケースの開口がアッパーケースによって閉じられる。
したがって、アッパー側ブラケットの載置部と係止部とによってロアー側ブラケットの第１の水平部が挟持された状態でロアーケースの開口がアッパーケースによって閉塞される。また、アッパー側ブラケットのガイド孔にロアー側ブラケットを係入させ、かつ係入を解除させることにより、ロアー側ブラケットをガイドとしてアッパーケースが着脱される。
【０００７】
また、請求項２に係る発明は、請求項１に係る発明において、前記アッパー側ブラケットの載置部と係止部とのそれぞれを前記ロアー側ブラケットの第１の鉛直部の表裏に対接させることにより、前記ロアーケースの開口が開放される。
したがって、アッパーケースを取り外すことなくロアーケースの開口を開放することができる。
【０００８】
また、請求項３に係る発明は、請求項１または２に係る発明において、前記ロアー側ブラケットの第１の水平部と第１の鉛直部との間に傾斜部を設けたものである。
したがって、アッパー側ブラケットのガイド孔を、ロアー側ブラケットの第１の水平部と第１の鉛直部との間を円滑に移動させることができる。
【０００９】
また、請求項４に係る発明は、請求項１ないし３に係る発明において、前記ロアー側ブラケットの第１の鉛直部の上端に前記第１の水平部側に直角に折曲形成した第２の水平部を形成し、この第２の水平部の先端に上方に向かって直角に折曲形成した第２の鉛直部を設けたものである。
したがって、アッパー側ブラケットの係止部が第２の鉛直部に係合するとともに載置部が第１の鉛直部に係合することにより、アッパーケースがロアーケースの開口を開放した状態に保つことができる。
【００１０】
また、請求項５に係る発明は、請求項１ないし４に係る発明において、前記ロアーケースとアッパーケースとのそれぞれの他端側に、アッパーケースによってロアーケースの開口を閉塞することにより係合し、アッパーケースを水平方向に移動させることにより係合が解除する係合手段を設けたものである。
したがって、筺体の両端部に設けられた２つの係合手段によってロアーケースの開口がアッパーケースによって閉塞される。
【００１１】
【発明の実施の形態】
以下、本発明の実施の形態を図に基づいて説明する。図１は本発明に係る筺体を示し、図２における  Ｉ−Ｉ線断面図、図２は図１におけるＩＩ−ＩＩ  線断面図、図３は同じく要部を分解して示す斜視図、図４は筺体を開閉する動作を説明するための図２における  Ｉ−Ｉ線断面図、図５は筺体を開閉する動作を説明するために要部のみを抜粋した図２におけるＩ−Ｉ  線断面図で、同図（ａ）はアッパーケースによってロアーケースの開口が閉塞された状態を示し、同図（ｂ）はロアーケースに対してアッパーケースを水平方向に移動させた状態を示す。図６および図７は同じく筺体を開閉する動作を説明するために要部のみを抜粋した図２におけるＶＩ−ＶＩ  線断面図で、図６（ａ）はアッパーケースを僅かに開いた状態を示し、同図（ｂ）はアッパーケースを角度Ａに開いた状態を示し、図７（ａ）はアッパーケースを角度Ｂに開いた状態を示し、同図（ｂ）はアッパーケースを取り外した状態を示す。
【００１２】
図１に全体を符号１で示す筺体は、底部４と囲い壁５とによって上方が開口したロアーケース２と、上部６と囲い壁７とによって下方が開口したアッパーケース３とによって構成されている。後述する方法によってロアーケース２の開口端とアッパーケース３の開口端を対接させることにより、アッパーケース３によってロアーケース２の開口が閉塞される。ロアーケース２の底部４には支柱１０が一体に立設されており、この支柱１０には支持板１１が水平状態に取り付けられている。
【００１３】
１３は筺体１の前部側に設けられた前部係合手段であって、支持板１１に固定された前部ロアー側ブラケット１４と、アッパーケース３の囲い壁７の内側に一体に突設した支柱１５に取り付けられた前部アッパー側ブラケット１６とによって構成されている。前部ロアー側ブラケット１４は断面がクランク状に形成されており、上部に水平状態に位置付けられた係合片１７が形成され、この係合片１７には、図２に示すように切欠き１８が設けられている。
【００１４】
前部アッパー側ブラケット１６は下方に延設されており、下端に側面視Ｌ字状に形成された被係合片１９が設けられており、この被係合片１９は、図１に示すように、アッパーケース３によってロアーケース２の開口が閉じられている状態で、係合片１７の切欠き１８から係合片１７の下面に臨み、この被係合片１９が係合片１７に対接する。一方、アッパーケース３をロアーケース２に対して、図４に示すように左方に移動させると、被係合片１９が係合片１７の切欠き１８に位置付けられ、被係合片１９と係合片１７との係合が解除する。
【００１５】
図１において、２０は断面が逆Ｌ字状に形成された固定板であって、鉛直部２１がロアーケース２の囲い壁５に対接するように、ロアーケース２の底部４に一体に立設した支柱２３に固定されており、図３に示すように、鉛直部２１には挿通孔２２が設けられている。
【００１６】
図３において、２５は筺体１の後部側に設けられた後部係合手段であって、ロアーケース２側に設けられた後部ロアー側ブラケット２６と、アッパーケース３側に設けられた後部アッパー側ブラケット２７とによって構成されている。後部ロアー側ブラケット２６は、第１の水平部２８とこの第１の水平部２８の先端側を直角に折曲形成した第１の鉛直部２９とによって構成されており、これら第１の水平部２８と第１の鉛直部２９との間に水平面と４５°の角度をなす傾斜部３０が設けられている。
【００１７】
第１の水平部２８には左右に延設された腕部３１が設けられており、この腕部３１の両端部が、図１に示すようにロアーケース２の底部４に一体に立設された支柱３２に取り付けられている。後部ロアー側ブラケット２６の第１の鉛直部２９の上端には、第１の水平部２８側に直角に折曲形成した第２の水平部３３が設けられており、この第２の水平部３３の先端には、上方に向かって直角に折曲形成された第２の鉛直部３４が設けられている。
【００１８】
後部アッパー側ブラケット２７は、図３に示すように、後部ロアー側ブラケット２６の第１の水平部２８上に載置される載置部３５と、この載置部３５の一端に直角に折曲形成され第１の鉛直部２９に係入されるスリット状に形成されたガイド孔３６が設けられた折曲部３７と、この折曲部３７の他端に載置部３５と反対方向に直角に折曲形成された係止部３８とによって概ね構成されている。載置部３５と係止部３８との間隔Ｄは、図７（ｂ）に示すように、後部ロアー側ブラケット２６の厚みよりも僅かに大きく形成されている。また、載置部３５の他端には、折曲部３７と反対方向に直角に折曲形成され中央部にねじ部４０が形成された被固定部３９が設けられている。
【００１９】
この被固定部３９の左右の両端には、図３に示すように、上方に直角に折曲形成された腕部４１，４１（一方の腕部４１は図示せず）が設けられており、これら腕部４１，４１の上端には直角に折曲形成された取付部４２，４２が設けられている。この取付部４２が、図１に示すように、アッパーケース３の囲い壁７に一体に突設した支柱４３に取り付けられることにより、後部アッパー側ブラケット２７の被固定部３９が囲い壁７から露呈する。４４は手回し用の摘みをもったねじであって、固定板２０の挿通孔２２に挿通させ、後部アッパー側ブラケット２７のねじ部４０に螺合する。
【００２０】
次に、このような構成の筺体の開閉構造におけるアッパーケースの着脱方法を説明する。先ず、ロアーケースの開口をアッパーケースによって閉塞するためにアッパーケースをロアーケースに取り付ける方法を説明する。
アッパーケース３を、図７（ｂ）に示すように、後部アッパー側ブラケット２７の折曲部３７を水平状態とするように図中時計方向に略９０°回動させ、アッパーケース３を下降させることにより、ガイド孔３６に、同図（ａ）に示すように後部ロアー側ブラケット２６の第２の鉛直部３４を係入させる。
【００２１】
次いで、アッパーケース３を反時計方向に回動させながら、図６（ａ）に示すように、ガイド孔３６に第２の水平部３３から第１の鉛直部２９を係入させ、さらにアッパーケース３を反時計方向に回動させながら、図５（ｂ）に示すように、ガイド孔３６を傾斜部３０から第１の水平部２８に係入させる。この状態で、アッパーケース３を図中右方に移動させることにより、同図（ａ）に示すように、後部アッパー側ブラケット２７の載置部３５と係止部３８とが第１の水平部２８の上下面（表裏）に対接するとともに、前部アッパー側ブラケット１６の被係合片１９が前部ロアー側ブラケット１４の係合片１７の下面に対接する。
【００２２】
同時に、後部アッパーケース２６の被固定部３９が固定板２０の鉛直部２１に対接し、それぞれのねじ部４０と挿通孔２２とが対向する。ねじ４４を挿通孔２２に挿通させねじ部４０に螺合させることにより、ロアーケース２がアッパーケース３に固定され、ロアーケース２の開口がアッパーケース３によって閉塞される。
【００２３】
上述したように、載置部３５と係止部３８との間隔Ｄが後部ロアー側ブラケット２６、すなわち第１の水平部２８の厚みよりも僅かに大きく形成されているから、載置部３５と係止部３８とが第１の水平部２８の上下面に密着した状態で対接する。したがって、アッパーケース３の開口端とロアーケース２の開口端との間に隙間が発生するのを防止できる。また、筺体１の前部側において、前部アッパー側ブラケット１６の被係合片１９が前部ロアー側ブラケット１４の係合片１７の下面に対接するから、アッパーケース３とロアーケース２との対接状態がより堅固になる。
【００２４】
また、ガイド孔３６に後部ロアー側ブラケット２６の第２の鉛直部３４を係入すると、ガイド孔３６が後部ロアー側ブラケット２６をガイドとして第１の水平部２８まで案内されるからアッパーケース３の取付けが容易になる。また、第１の鉛直部２９と第１の水平部２８との間に傾斜部３０を設けたことにより、アッパーケース３を反時計方向に回動させながら、ガイド孔３６を第１の鉛直部２９から第１の水平部２８に係入させる作業が容易になる。
【００２５】
次に、アッパーケースをロアーケースから取り外す方法を説明する。
図５（ｂ）に示すように、ねじ４４と後部アッパー側ブラケット２７のねじ部４０との螺合を解除し、アッパーケース３を図中左方に移動させることにより、前部ロアー側ブラケット１４の係合片１７と前部アッパー側ブラケット１６の被係合片１９との係合を解除する。
【００２６】
アッパーケース３を時計方向に回動させながら、後部アッパー側ブラケット２７のガイド孔３６に、図６（ａ）に示すように後部ロアー側ブラケット２６の第１の水平部２８から傾斜部３０を通って第１の鉛直部２９を係入させる。このとき、上述したアッパーケース３の取付けと同様に、傾斜部３０を設けたことにより、アッパケース３の時計方向への回動が容易になる。さらに、同図（ｂ）に示すようにアッパーケース３を回動させアッパーケース３の開き角度をＡとすると、後部アッパー側ブラケット２７の載置部３５と係止部３８とが、後部ロアー側ブラケット２６の第１の鉛直部２９の表裏に対接し、アッパーケース３が固定板２０の鉛直部２１の上端に係止される。
【００２７】
したがって、アッパーケース３が角度Ａだけ開いた状態で保持されるから、アッパーケース３をロアーケース２から取り外すことなく、保守点検や修理等を行うことができる。ここで、アッパーケース３の開き角度Ａでは少ない場合には、図７（ａ）に示すように、ガイド孔３６に第２の水平部３３を係入させ、係止部３８の上端を第２の鉛直部３４に係止させ、載置部３５の下端を第１の鉛直部２９に係止させることにより、アッパーケース３の開き角度をＢとした状態でアッパーケース３を保持することができる。このように、アッパーケース３の開き角度を選択することができるため、保守点検や修理等における作業性を向上させることができる。
【００２８】
この状態から、アッパーケース３をロアーケース２から取り外すには、ガイド孔３６に第２の水平部３３から第２の鉛直部３４を係入させ、同図（ｂ）に示すように、アッパーケース３を上方に移動させることにより行う。
【００２９】
なお、本実施の形態においては、前部係合手段１３を前部ロアー側ブラケット１４と前部アッパー側ブラケット１６とによって構成したが、これに限定されず、例えば、後部係合手段２５におけるねじ４４と固定板２０とによる構成にしてもよい。
【００３０】
【発明の効果】
以上説明したように、請求項１に係る発明によれば、ケースの着脱が容易になるばかりではなく、両ケースの間に隙間が発生するのを防止できる。
【００３１】
また、請求項２に係る発明によれば、ケースを取り外すことなく保守点検や修理等を行うことができる。
【００３２】
また、請求項３に係る発明によれば、ケースの着脱が容易になる。
【００３３】
また、請求項４に係る発明によれば、ケースの開き角度を選択することができるため、保守点検や修理等における作業性を向上させることができる。
【００３４】
また、請求項５に係る発明によれば、両ケースの対接状態がより堅固になる。
【図面の簡単な説明】
【図１】本発明に係る筺体を示し、図２における  Ｉ−Ｉ線断面図である。
【図２】図１におけるＩＩ−ＩＩ  線断面図である。
【図３】本発明に係る筺体の要部を分解して示す斜視図である。
【図４】本発明に係る筺体を開閉する動作を説明するための図２における  Ｉ−Ｉ線断面図である。
【図５】筺体を開閉する動作を説明するために要部のみを抜粋した図２におけるＩ−Ｉ  線断面図で、同図（ａ）はロアーケースの開口をアッパーケースによって閉塞した状態を示し、同図（ｂ）はロアーケースに対してアッパーケースを水平方向に移動させた状態を示す。
【図６】本発明に係る筺体を開閉する動作を説明するために要部のみを抜粋した図２におけるＶＩ−ＶＩ  線断面図で、同図（ａ）はアッパーケースを僅かに開いた状態を示し、同図（ｂ）はアッパーケースを角度Ａに開いた状態を示す。
【図７】本発明に係る筺体を開閉する動作を説明するための図２におけるＶＩ−ＶＩ  線断面図で、同図（ａ）はアッパーケースを角度Ｂに開いた状態を示し、同図（ｂ）はアッパーケースを取り外した状態を示す。
【符号の説明】
１…筐体、２…ロアーケース、３…アッパーケース、１３…前部係合手段、１４…前部ロアー側ブラケット、１６…前部アッパー側ブラケット、１７…係合片、１８…切欠き、１９…被係合片、２０…固定板、２２…挿通孔、２５…後部係合手段、２６…後部ロアー側ブラケット、２７…後部アッパー側ブラケット、２８…第１の水平部、２９…第１の鉛直部、３０…傾斜部、３３…第２の水平部、３４…第２の鉛直部、３５…載置部、３６…ガイド孔、３７…折曲部、３８…係止部、３９…被固定部、４０…ねじ部、４４…ねじ。
【図１】
2004303772.tif 000003
【図２】
2004303772.tif 000004
【図３】
2004303772.tif 000005
【図４】
2004303772.tif 000006
【図５】
2004303772.tif 000007
【図６】
2004303772.tif 000008
【図７】
2004303772.tif 000009